【手続補正書】
【提出日】平成28年10月19日(2016.10.19)
【手続補正１】
【補正対象書類名】明細書
【補正対象項目名】発明の名称
【補正方法】変更
【補正の内容】
【発明の名称】計算装置、計算方法及びプログラム
【手続補正２】
【補正対象書類名】明細書
【補正対象項目名】０００１
【補正方法】変更
【補正の内容】
【０００１】
本発明は計算装置、計算方法及びプログラムに関する。
【手続補正３】
【補正対象書類名】明細書
【補正対象項目名】０００４
【補正方法】変更
【補正の内容】
【０００４】
しかしながら、従来の関数電卓では、回帰式の係数値を回帰計算して算出し表示させる操作の後に、再度指定した回帰式を確認しようとしても、それを単純な操作では確認できないし、回帰式の係数値を回帰計算して算出し表示させる操作と、変数の推定値を算出する操作とが別々であるため、指定した回帰式と、回帰計算し算出した係数値と、入力する変数と、対応する変数の推定値との関係を、理解しながら推定値を求めることも難しかった。
本発明の課題は、回帰計算後において単純な操作で再度指定した回帰式を確認することができ、さらには指定した回帰式と、回帰計算した係数値と、入力する変数と、対応する変数の推定値との関係を、理解しながら推定値を求めることができる計算装置、計算方法及びプログラムを提供することである。
【手続補正４】
【補正対象書類名】明細書
【補正対象項目名】０００５
【補正方法】変更
【補正の内容】
【０００５】
以上の課題を解決するため、本発明の計算装置の一態様は、
係数付数式を表示部に表示させ、前記係数付数式に含まれる係数名を前記表示部に表示させ、前記係数付数式について、ユーザによる前記係数名の係数値の入力を受け付けて前記係数付数式の計算を行う係数計算手段と、
独立変数と従属変数との数値データの組について、独立変数と従属変数との数値データの組から独立変数と従属変数との関係を表す回帰式の係数値を算出する回帰計算手段と、
を備え、
前記係数計算手段は、
前記回帰計算手段により前記回帰式の係数値が算出された後、前記算出された係数値を表示させる係数値表示制御手段と、
前記回帰式を前記係数付数式として用いて、前記係数値表示制御手段により表示された係数値による計算を行う回帰後計算手段と、
を有することを特徴とする。
【手続補正５】
【補正対象書類名】明細書
【補正対象項目名】０００６
【補正方法】変更
【補正の内容】
【０００６】
本発明の計算装置の他の態様は、
独立変数と従属変数とを含む等式を表示部に表示させ、前記等式について、ユーザによる従属変数値の入力を受け付けて独立変数値を計算する求解手段と、
独立変数と従属変数との数値データの組について、独立変数と従属変数との数値データの組から独立変数と従属変数との関係を表す回帰式の係数値を算出する回帰計算手段と、
を備え、
前記求解手段は、
前記回帰計算手段により前記回帰式の係数値が算出された後、前記算出された係数値を表示させる係数値表示制御手段と、
前記回帰式について、前記係数値表示制御手段により表示された係数値を用い、ユーザによる従属変数値の入力を受け付けて、前記従属変数値に対応する独立変数値を算出する回帰後求解手段と、
を有することを特徴とする。
【手続補正６】
【補正対象書類名】特許請求の範囲
【補正対象項目名】全文
【補正方法】変更
【補正の内容】
【特許請求の範囲】
【請求項１】
係数付数式を表示部に表示させ、前記係数付数式に含まれる係数名を前記表示部に表示させ、前記係数付数式について、ユーザによる前記係数名の係数値の入力を受け付けて前記係数付数式の計算を行う係数計算手段と、
独立変数と従属変数との数値データの組について、独立変数と従属変数との数値データの組から独立変数と従属変数との関係を表す回帰式の係数値を算出する回帰計算手段と、
を備え、
前記係数計算手段は、
前記回帰計算手段により前記回帰式の係数値が算出された後、前記算出された係数値を表示させる係数値表示制御手段と、
前記回帰式を前記係数付数式として用いて、前記係数値表示制御手段により表示された係数値による計算を行う回帰後計算手段と、
を有することを特徴とする計算装置。
【請求項２】
請求項１に記載の計算装置において、
前記係数計算手段は、ユーザにより入力された係数付数式を前記表示部に表示させ、ユーザにより係数計算開始操作が行われた際に、前記係数付数式に含まれる係数名を前記表示部に表示させ、
前記係数値表示制御手段は、前記回帰計算手段により前記回帰式の係数値が算出された後、ユーザにより前記係数計算開始操作が行われた際に前記回帰式を前記表示部に表示させ、前記係数名の係数値の表示の際に前記算出された係数値を表示する、
ことを特徴とする計算装置。
【請求項３】
請求項１又は２に記載の計算装置において、
前記回帰式には、独立変数と他の係数とが含まれており、
前記回帰後計算手段は、前記回帰式について、前記係数値表示制御手段により表示された係数値と、ユーザ入力された独立変数値とに基づいて、前記独立変数値に対応する従属変数値を算出する、
ことを特徴とする計算装置。
【請求項４】
請求項１から３のいずれか一項に記載の計算装置において、
前記回帰計算手段は、複数種の回帰式のうちのいずれかの回帰式をユーザ操作により指定することを特徴とする計算装置。
【請求項５】
請求項１から４のいずれか一項に記載の計算装置において、
前記係数計算手段は、前記係数付数式の係数名を出現順に先頭から表示させ、
前記係数値表示制御手段は、前記回帰式の係数名と前記回帰計算手段により算出された係数値とを、アルファベット順に表示させる、
ことを特徴とする計算装置。
【請求項６】
独立変数と従属変数とを含む等式を表示部に表示させ、前記等式について、ユーザによる従属変数値の入力を受け付けて独立変数値を計算する求解手段と、
独立変数と従属変数との数値データの組について、独立変数と従属変数との数値データの組から独立変数と従属変数との関係を表す回帰式の係数値を算出する回帰計算手段と、
を備え、
前記求解手段は、
前記回帰計算手段により前記回帰式の係数値が算出された後、前記算出された係数値を表示させる係数値表示制御手段と、
前記回帰式について、前記係数値表示制御手段により表示された係数値を用い、ユーザによる従属変数値の入力を受け付けて、前記従属変数値に対応する独立変数値を算出する回帰後求解手段と、
を有することを特徴とする計算装置。
【請求項７】
請求項６に記載の計算装置において、
前記求解手段は、ユーザにより入力された独立変数と従属変数とを含む等式を前記表示部に表示させ、ユーザにより求解開始操作が行われた際に、前記等式に含まれる係数名を前記表示部に表示させ、その後ユーザによる従属変数値の入力を受け付ける、
ことを特徴とする計算装置。
【請求項８】
請求項６または７に記載の計算装置において、
前記回帰計算手段は、複数種の回帰式のうちのいずれかの回帰式をユーザ操作により指定することを特徴とする計算装置。
【請求項９】
請求項６から８のいずれか一項に記載の計算装置において、
前記求解手段は、前記等式の係数名を出現順に先頭から表示させ、
前記係数値表示制御手段は、前記回帰式の係数名と前記回帰計算手段により算出された係数値とを、アルファベット順に表示させる、
ことを特徴とする計算装置。
【請求項１０】
表示部を備えた計算装置の計算方法であって、
係数付数式を前記表示部に表示させ、前記係数付数式に含まれる係数名を前記表示部に表示させ、前記係数付数式について、ユーザによる前記係数名の係数値の入力を受け付けて前記係数付数式の計算を行う係数計算ステップと、
独立変数と従属変数との数値データの組について、独立変数と従属変数との数値データの組から独立変数と従属変数との関係を表す回帰式の係数値を算出する回帰計算ステップと、
を備え、
前記係数計算ステップは、
前記回帰計算ステップにより前記回帰式の係数値が算出された後、前記算出された係数値を表示させる係数値表示制御ステップと、
前記回帰式を前記係数付数式として用いて、前記係数値表示制御ステップにより表示された係数値による計算を行う回帰後計算手段回帰後計算ステップと、
を備えることを特徴とする計算方法。
【請求項１１】
コンピュータに、
係数付数式を表示部に表示させ、前記係数付数式に含まれる係数名を前記表示部に表示させ、前記係数付数式について、ユーザによる前記係数名の係数値の入力を受け付けて前記係数付数式の計算を行う係数計算機能と、
独立変数と従属変数との数値データの組について、独立変数と従属変数との数値データの組から独立変数と従属変数との関係を表す回帰式の係数値を算出する回帰計算機能と、
を実現させ、
前記係数計算機能は、
前記回帰計算機能により前記回帰式の係数値が算出された後、前記算出された係数値を表示させる係数値表示制御機能と、
前記回帰式を前記係数付数式として用いて、前記係数値表示制御機能により表示された係数値による計算を行う回帰後計算手段回帰後計算機能と、
を備えることを特徴とするプログラム。
【請求項１２】
表示部を備えた計算装置の計算方法であって、
独立変数と従属変数とを含む等式を表示部に表示させ、前記等式について、ユーザによる従属変数値の入力を受け付けて独立変数値を計算する求解ステップと、
独立変数と従属変数との数値データの組について、独立変数と従属変数との数値データの組から独立変数と従属変数との関係を表す回帰式の係数値を算出する回帰計算ステップと、
を備え、
前記求解ステップは、
前記回帰計算ステップにより前記回帰式の係数値が算出された後、前記算出された係数値を表示させる係数値表示制御ステップと、
前記回帰式について、前記係数値表示制御手段により表示された係数値を用い、ユーザによる従属変数値の入力を受け付けて、前記従属変数値に対応する独立変数値を算出する回帰後求解ステップと、
を備えることを特徴とする計算方法。
【請求項１３】
コンピュータに、
独立変数と従属変数とを含む等式を表示部に表示させ、前記等式について、ユーザによる従属変数値の入力を受け付けて独立変数値を計算する求解機能と、
独立変数と従属変数との数値データの組について、独立変数と従属変数との数値データの組から独立変数と従属変数との関係を表す回帰式の係数値を算出する回帰計算機能と、
を実現させ、
前記求解機能は、
前記回帰計算機能により前記回帰式の係数値が算出された後、前記算出された係数値を表示させる係数値表示制御機能と、
前記回帰式について、前記係数値表示制御機能により表示された係数値を用い、ユーザによる従属変数値の入力を受け付けて、前記従属変数値に対応する独立変数値を算出する回帰後求解機能と、
を備えることを特徴とするプログラム。